(57)【要約】【課題】床移動使用時に良好な走行が行えるとともに、それ以外の収納した時や携帯使用時には、ローラーに付着した汚れが、衣服や手に付きにくい使用性の高い走行装置および床移動型電気機器および電気掃除機を提供することを目的とする。【解決手段】移動用のローラー３と、前記ローラー３と一体もしくは別体で形成された回転軸２と、前記ローラー３の接地面または接地面近傍を覆うカバー体４とを備え、前記カバー体４を着脱自在および／または配置位置を変更可能に構成した走行装置で、床移動使用時に良好な走行が行えるとともに、略直立させて収納した時や携帯使用時には、ローラー３に付着した汚れが衣服や手に付きにくい、使用性の良好な走行装置を提供するものである。【選択図】図１
2005224416.tif 000002
【特許請求の範囲】
【請求項１】
移動用のローラーと、前記ローラーと一体もしくは別体で形成された回転軸と、前記回転軸を保持する保持体と、前記ローラーの接地面または接地面近傍を覆うカバー体とを備え、前記カバー体を着脱自在および／または配置位置を変更可能に構成した走行装置。
【請求項２】
カバー体を、ローラーが走行面に接地していない状態のときには、前記ローラーが走行面に接地している状態のときの、少なくとも前記ローラーの走行面に対向する接地面または接地面近傍を覆えるよう構成した請求項１記載の走行装置。
【請求項３】
カバー体を、ローラーの略中心を回動中心として回動自在に構成した請求項１または２記載の走行装置。
【請求項４】
カバー体は、ローラーに対して所定の位置で保持される保持手段を有する構成とした請求項１〜３のいずれか１項に記載の走行装置。
【請求項５】
カバー体の表面に、軟質材を配設した請求項１〜４のいずれか１項に記載の走行装置。
【請求項６】
カバー体のローラーに対向する側に、前記ローラーの接地面または接地面近傍に当接するように軟質材を配設した請求項１〜５のいずれか１項に記載の走行装置。
【請求項７】
請求項１〜６のいずれか１項に記載の走行装置を有する本体を備え、前記本体の幅方向長さよりも高さ方向の長さが小さい床移動型電気機器。
【請求項８】
吸引力を発生する電動送風機を有する本体を備え、前記本体に請求項１〜６のいずれか１項に記載の走行装置を設けた電気掃除機。
【請求項９】
吸引力を発生する電動送風機、前記電動送風機の吸気上流に配設され塵埃を捕集する集塵室を有する本体と、前記集塵室の吸気口部に接続されるホースと、使用者が前記本体を携帯する手段と、請求項１〜６のいずれか１項に記載の走行装置とから構成される電気掃除機。
【請求項１０】
電動送風機に電源を供給する２次電池を、本体内に設けた請求項８または９記載の電気掃除機。
【請求項１１】
２次電池を本体後方部に備えた請求項１０記載の電気掃除機。
【請求項１２】
本体は、電動送風機の排気を外部に排出する排気口を側面あるいは後部に有し、前記本体にカバー体の回転軸を設け、前記カバー体を前記本体に対して回動自在に配設することで、前記排気口の近傍に前記カバー体を配置可能に構成した請求項８〜１１のいずれか１項に記載の電気掃除機。
【請求項１３】
本体の重心近傍にカバー体の回転軸を設け、前記カバー体を前記本体に対して回動自在に構成した請求項８〜１２のいずれか１項に記載の電気掃除機。
【発明の詳細な説明】
【技術分野】
【０００１】
本発明は製品の移動用に用いられる走行装置、それを用いた床移動型電気機器および電気掃除機に関するものである。
【背景技術】
【０００２】
従来の走行装置は、略円筒形のローラーと、その回転中心に設けられたローラー軸と、ローラー軸を保持する保持体から構成される。住環境の影響から使用しない時にはできるだけ収納スペースを小さくするために走行装置を用いた本体を略直立させて収納する形態が増加している。
【０００３】
また、近年、使用範囲の拡大から走行装置を用いた製品を手に持って使用する、あるいは肩掛けバンドなどを用いて肩掛け状態で使用するなど床移動使用状態と携帯使用状態での使用範囲の拡大が求められている。そのため、できるだけローラーの露出部分を小さくするように保持体のローラーの接地部分のみを開口するなど床移動によるローラーの汚れた部分に手などが触れにくくいように構成している(例えば、特許文献１、特許文献２、あるいは特許文献３参照のこと)。
【特許文献１】実用新案登録第３０６６９２２号公報
【特許文献２】実開平５−９５４４４号公報
【特許文献３】特開２００３−７９５５３号公報
【発明の開示】
【発明が解決しようとする課題】
【０００４】
しかしながら、上記構成では、ローラーの露出部分が小さいため、床移動使用時に小さな段差でも段差に保持体が先に当たりローラーが当たらず突っ掛かってしまい、うまく移動できない、また、略直立させて収納した時や携帯使用時にはローラーの露出部分が少なくてもローラーが露出しているため、衣服や手に汚れが付き易いなどの課題があった。
【０００５】
本発明は上記課題を解決するもので、床移動使用時に良好な走行が行えるとともに、それ以外の収納した時や携帯使用時には、ローラーに付着した汚れが、衣服や手に付きにくい使用性の高い走行装置および床移動型電気機器および電気掃除機を提供することを目的とするものである。
【課題を解決するための手段】
【０００６】
上記従来の課題を解決するために本発明は、移動用のローラーと、前記ローラーと一体もしくは別体で形成された回転軸と、前記回転軸を保持する保持体と、前記ローラーの接地面または接地面近傍を覆うカバー体とを備え、前記カバー体を着脱自在および／または配置位置を変更可能に構成した走行装置で、床移動使用時に良好な走行が行えるとともに、略直立させて収納した時や携帯使用時には、ローラーに付着した汚れが衣服や手に付きにくい、使用性の良好な走行装置を提供するものである。
【発明の効果】
【０００７】
本発明は、床移動使用時に良好な走行が行えるとともに、それ以外の収納した時や携帯使用時には、ローラーに付着した汚れが、衣服や手に付きにくい使用性の高い走行装置および床移動型電気機器および電気掃除機を提供できる。
【発明を実施するための最良の形態】
【０００８】
第１の発明は、移動用のローラーと、前記ローラーと一体もしくは別体で形成された回転軸と、前記回転軸を保持する保持体と、前記ローラーの接地面または接地面近傍を覆うカバー体とを備え、前記カバー体を着脱自在および／または配置位置を変更可能に構成した走行装置で、汚れたローラー面に衣服や手が触れるのを防止するものである。
【０００９】
第２の発明は、カバー体を、ローラーが走行面に接地していない状態のときには、前記ローラーが走行面に接地している状態のときの、少なくとも前記ローラーの走行面に対向する接地面または接地面近傍を覆えるよう構成したもので、床移動使用時にはローラーが露出し、良好な走行が行え、収納した時や携帯使用時にはカバー体が床移動使用時のローラーの接地面または接地面近傍を覆うことにより、汚れたローラー面に衣服や手が触れるのを防止するものである。
【００１０】
第３の発明は、カバー体を、ローラーの略中心を回動中心として回動自在に構成したもので、製品の方向によってカバー体が移動し、自動でローラー接地面または接地面近傍を覆ったり、覆わなかったりし、カバー体を操作する必要が無く、使用性の向上が図れるものである。
【００１１】
第４の発明は、カバー体は、ローラーに対して所定の位置で保持される保持手段を有する構成としたもので、必要な位置にカバー体を保持することができ、さらに使用性の向上が図れるものである。
【００１２】
第５の発明は、カバー体の表面に、軟質材を配設したもので、カバー体に触れた時にソフト感が得られ、さらに使用性の向上が図れるものである。
【００１３】
第６の発明は、カバー体のローラーに対向する側に、前記ローラーの接地面または接地面近傍に当接するように軟質材を配設したもので、カバー体の軟質材がローラー表面を擦り、ローラー表面の汚れを清掃し、常にきれいなローラー表面を維持することができ、床面などへの汚れの付着が防止できるものである。
【００１４】
第７の発明は、請求項１〜６のいずれか１項に記載の走行装置を有する本体を備え、前記本体の幅方向長さよりも高さ方向の長さが小さい床移動型電気機器で、収納スペースの小型化が図れるとともに、収納時に汚れたローラー面に衣服や手が触れるのを防止でき、清潔な収納形態が維持できるものである。
【００１５】
第８の発明は、吸引力を発生する電動送風機を有する本体を備え、前記本体に請求項１〜６のいずれか１項に記載の走行装置を設けた電気掃除機で、スタンド収納や本体のみの収納時に、汚れたローラー面に衣服や手が触れるのを防止でき、清潔な収納形態が維持できる電気掃除機を提供するものである。
【００１６】
第９の発明は、吸引力を発生する電動送風機、前記電動送風機の吸気上流に配設され塵埃を捕集する集塵室を有する本体と、前記集塵室の吸気口部に接続されるホースと、使用者が前記本体を携帯する手段と、請求項１〜６のいずれか１項に記載の走行装置とから構成される電気掃除機で、収納時や携帯使用時に汚れたローラー面に衣服や手が触れるのを防止でき、清潔な使用状態の電気掃除機を提供するものである。
【００１７】
第１０の発明は、電動送風機に電源を供給する２次電池を、本体内に設けたもので、電源コードが不要となり、携帯使用時に本体の移動がスムースにでき、使用性を向上するものである。
【００１８】
第１１の発明は、２次電池を本体後方部に備えたもので、携帯使用時に本体の重心が下部になるため本体を略直立にしての使用が容易となり、さらに使用性を向上するものである。
【００１９】
第１２の発明は、本体は、電動送風機の排気を外部に排出する排気口を側面あるいは後部に有し、前記本体にカバー体の回転軸を設け、前記カバー体を前記本体に対して回動自在に配設することで、前記排気口の近傍に前記カバー体を配置可能に構成したもので、収納時や携帯使用時にはローラーをカバー体で覆うことにより、衣服や手などにローラーの汚れが付着するのを防止するとともに、床移動使用時には、カバー体を排気口下方に配置できることにより、排気が下方に排出するのを防止して床面などのごみを吹き飛ばすのを防止できるものである。
【００２０】
第１３の発明は、本体の重心近傍にカバー体の回転軸を設け、前記カバー体を前記本体に対して回動自在に構成したもので、衣服や手などにローラーの汚れが付着するのを防止できるとともに、床移動使用時には、カバー体を本体のハンドルとしても用いることができ、さらに使用性の向上が図れるものである。
【００２１】
以下、本発明の実施の形態について、図面を参照しながら説明する。なお、この実施の形態によりこの発明が限定されるものではない。
【００２２】
（実施の形態１）
本発明の第１の実施の形態について、図１を用いて説明する。
【００２３】
図１において、長さＬ＞高さＨとなる本体１の下部に回転軸２を回動中心として回転する移動用のローラー３を配置している。カバー体４は前記回動軸２に係合する溝５を有するとともにローラー３の表面を覆う面６を有しており、また面６の表面には起毛布Ａ７を配置している。
【００２４】
上記構成による作用は以下の通りである。
【００２５】
床移動使用時には本体１の下部に配設したローラー３の回転により容易に移動することが可能である。また、本体１は収納時のスペースをできるだけ小さくするため、あるいはローラー３による意図しない本体１の移動を防止するために略直立させて短い高さ面を床面に接地させた状態で収納される。この時、カバー体４の溝５を回転軸２に係合させて取付けることにより、ローラー３の表面をカバー体４で覆って汚れたローラー３に衣服や手が当たるのを防止でき、清潔な状態を維持できるものである。また、カバー体４に触れた時でも面６表面に配置した起毛布Ａ７によって不快感を低減することができる。
【００２６】
（実施の形態２）
本発明の第２の実施の形態について、図２〜図１０を用いて説明する。
【００２７】
吸引風を発する電動送風機１１を内蔵する掃除機本体１２（以下、本体１２とする。）には、前記電動送風機１１の吸気上流側の本体１２内に塵埃を捕集する集塵室１３が透明材料にて設けられ、前記集塵室１３の吸気口部１４に連通した手元ハンドル１５とホース継ぎ手１６付きのホース１７、および延長管１８を介して、塵埃を吸引する吸込具１９が連結されている。本体１２は、前部底面に形成されたキャスター軸２０枢支されキャスターカバー２１とキャスターローラー２２、キャスターローラー軸２３からなる１個のキャスター２４と、本体１２の後部両側面に一体に形成したローラー軸２５によって回転自在に取付けた一対のローラー２６と、本体１２の後方下内部には電動送風機１１へ電源を供給する２次電池２７とを備えている。
【００２８】
キャスターローラー２２前方のキャスターカバー２１には、略円弧状のカバー体２８がつまみ２９を有して収納部３０に収納自在に位置されている。また、前記カバー体２８の内面、外面にはそれぞれ起毛布Ａ７、起毛布Ｂ３１を配設し、カバー体２８を収納部３０から引き出した時にキャスターローラー２２表面と当接するように配置している。同様にローラー２６前方の本体１２にも内面に起毛布Ｂ３１を配置した略円弧状のカバー体２８がつまみ２９を有して収納部３０に収納自在に位置されている。
【００２９】
本体１２の両側面には、集塵室１３内部を見ることが可能な開口部３２が設けられ、前記開口部３２を形成する壁面内側に、金属製丸棒で形成された肩掛けベルト保持部３３を有し、上本体３４と下本体３５の間に湾曲状の中本体３６を介してはさみ込まれ形成されている。また、肩掛け使用時には肩掛けベルト３７を肩掛けベルト保持部３３に引っ掛けて使用できるようにしている。本体１２後方上部には、肩掛けベルト３７不使用時に収納可能なベルト収納部３８を備え、本体上３４に軸支持された蓋体３９で開閉自在に覆われている。また、本体１２の寸法は、長さＬ＞高さＨとするとともに本体１２前上部に把手４０を備えている。
【００３０】
次に集塵室１３について詳しく説明する。
【００３１】
図７に示すように、吸気口部１４より侵入した塵埃を含んだ吸引風は、略円筒状の遠心分離室４１の内壁に沿って旋回し、遠心分離作用により吸引風と塵埃は分離され、分離した塵埃は遠心分離室４１の下方の堆積室４２に放り出され蓄積される。一方、吸引風はフィルタ４３を通過した後、吸引口４４を通過して、電動送風機１１へと吸引されていく。また上本体３４には本体蓋４５が開閉自在に軸支されており、前記堆積室４２内に塵埃が蓄積された際には、前記本体蓋４５を上方へ集塵室１３を覆った状態より略９０°回動させた後、前記集塵室１３を本体１２より上方へ取りだし、さらにロック４６を開くことで、集塵室蓋４７が開口して前記堆積室４２に蓄積した塵埃を廃棄可能となる。
【００３２】
次に本体１２の収納及び充電状態について説明する。
【００３３】
図８、図９に示すように、充電台４８には充電端子４９と本体保持部Ａ５０、本体保持部Ｂ５１、本体保持部Ｃ５２などを配設した本体保持面を形成しており本体１２後部に配設した本体端子５３と前記充電端子４９が接続するように本体１２を略直立に保持して収納及び充電を行う。
【００３４】
上記構成による作用は以下の通りである。
【００３５】
通常の床移動使用時には図３、図６に示すようにカバー体２８を収納部３０に収納させてキャスターローラー２２、ローラー２６を露出させて床面５４に接地させた状態で本体１２を引き回して使用する。肩掛け使用時には図６のやじるしに示すようにつまみ２９を引っ張って収納部３０からカバー体２８を引き出し、キャスターローラー２２、ローラー２６表面を覆う（２点鎖線で示す）とともにベルト収納部３８に収納していた肩掛けベルト３７を取り出し、図１０に示すように肩掛けベルト保持部３３に引っ掛けた状態で把手４０を持ち本体底面を使用者５５側に向けて肩掛けベルト３７を肩に引っ掛けて使用する。
【００３６】
この時、キャスターローラー２２、ローラー２６がカバー体２８で覆われていることにより、使用者５５の衣服や手が汚れたキャスターローラー２２、ローラー２６に触れるのを防止して清潔に使用できるものである。
【００３７】
また、カバー体２８を収納部３０から引き出すことにより、カバー体２８内面に配置した起毛布Ｂ３１がキャスターローラー２２、ローラー２６に当接して擦ることになり、キャスターローラー２２、ローラー２６表面に付着した塵埃を除去でき、再度、床移動使用時にはキャスターローラー２２、ローラー２６表面が清掃された状態で使用できるため、床面５４に汚れが付着することがなくなる。
【００３８】
さらには、カバー体２８の略円弧形状の中心をキャスターローラー軸２３、ローラー軸２５とほぼ同じ位置に設定することにより、床移動使用時においても起毛布Ｂ３１の表面を擦ることとなり、本体１２の引き回しによるキャスターローラー２２、ローラー２６の回転でキャスターローラー２２、ローラー２６の表面の清掃が可能となる。本体１２収納・充電状態においても図９に示すように同様にカバー体２８を収納部２８から引き出してキャスターローラー２２、ローラー２６の表面をカバー体２８で覆うことにより、使用者５５の衣服や手などに汚れた面が当たるのを防止して清潔に使用できるものである。
【００３９】
また、肩掛け使用時には、本体１２前部が上方を向くように保持されており、ホース１７の本体接続部５５が床面５３に対し約９０°となるため、集塵室１３の吸気口部１４からの塵埃の逆流を防ぐことができ、肩掛け使用時の使用者５４の体からの本体１２突出寸法は、床移動使用時の本体高さＨとなるため、突出寸法を抑えても床移動使用時には本体１２は安定し使用性を向上できる。
【００４０】
さらには、電動送風機１１に電源を供給する２次電池２７を本体１２内に備えているため、肩掛け使用時に電源コードに縛られず移動可能であり、さらに、２次電池２７を本体１２後部に備えているため、肩掛け時には本体１２の重心が下部になり、本体１２が安定し使用性を向上できるものである。
【００４１】
また、集塵室１３において、吸引風と、前記吸引風に含まれている塵埃とを旋回することにより遠心分離させる遠心分離室４１と、分離された塵埃を貯める堆積室４２の２室を備えており、堆積室４２内の塵埃は重力の影響を受けず遠心分離室４１から放り出されて蓄積されるため、走行時と肩掛け時で集塵室１３の向きが変わり重力の作用方向が変わっても遠心分離可能である。
【００４２】
また、集塵室１３が透明材料で形成されるとともに、本体１２側面に集塵室１３内部を見ることが可能な開口部３２を備え、前記開口部３２を形成する壁面内側に肩掛け用ベルト保持部３３を設けているため、肩掛け用ベルト保持部３３を本体１２外郭から突出させず、デザイン性を損なわずに構成できるものである。
【００４３】
さらに、集塵室１３内部を見る開口部３２を、上本体３４と下本体３５の間に空間を持たせ形成し、前記空間に肩掛け用ベルト保持部３３を上下から挟み込み保持するため、肩掛け用ベルト保持部３３を金属製丸棒のような単純形状で構成でき、製品価格を抑制できるものである。
【００４４】
（実施の形態３）
実施の形態２と同一の構成については、同一の符号を付しその説明を省略する。
【００４５】
図１１においてキャスターローラー２２にはキャスターローラー軸２３と同軸でキャスターローラー２２の外周を回動するカバー体２８を配置し、カバー体２８の略対面にはカバー体２８の重量より重い荷重５７を配置しているとともに、荷重５７の回動両側には一定の距離をおいてストッパーＡ５８、ストッパーＢ５９が配設されている。
【００４６】
上記構成による作用は以下の通りである。
【００４７】
カバー体２８の位置規制は荷重５７の位置によって規制される。すなわち、通常の床移動使用状態には荷重５７が自重によりストッパーＡ５８に規制され、荷重５７およびカバー体２８は本体長さＬに対して略水平に位置してキャスターローラー２２の床接地面が露出し、本体１２の移動が可能になる。
【００４８】
次に肩掛け・収納・充電などの使用状態では、本体１２を略９０°直立させて保持するため、荷重５７が自重によって移動しストッパーＢに当接して規制されるため、荷重５７およびカバー体２８は本体長さＬに対して略垂直に位置してキャスターローラー２２の床接地面をカバー体２８で覆うこととなり、汚れたキャスターローラー２２面が使用者５５の衣服や手などに触れるのを防止しして清潔に使用できるものである。同様にローラー２６にもカバー体２８が配置されて汚れたローラー２６面に触れるのを防止できる。
【００４９】
（実施の形態４）
実施の形態２、３と同一の構成については、同一の符号を付しその説明を省略する。
【００５０】
図１２において電動送風機１１からの排気を外部に排出する排気口６０を本体１２後部面に設けている。また、本体１２の長さＬの略重心近傍にカバー体２８の回動中心となるカバー体軸６１を形成して  カバー体２８が本体１２の底面から後面、上面側に位置できるように回動自在に構成されるとともにカバー体軸６１近傍に設けた凸部Ａ６２、凸部Ｂ６３によってカバー体２８が排気口６０の下部、ローラー２６の接地面部、キャスターローラー２２の接地面部に保持できるようにしている。
【００５１】
上記構成による作用は以下の通りである。
【００５２】
通常、床移動使用状態ではカバー体２８を凸部Ａ６２で規制し排気口６０の下部に位置させて排気口６０から排出される排気方向を斜め上方に向けることができ、床面のごみの吹き飛ばしが防止できるものである。また、本体１２を持ち運ぶ時にはカバー体２８を上方に回動させてハンドルとして使用でき、この場合にはカバー体２８の腕長さＡが比較的長くなるため、本体１２に対して握り部が高い位置にあり握りやすいとともにカバー体軸６１が本体の略重心近傍に配設されているため持ち運び時の本体１２の安定性が良く、使い勝手が向上するものである。
【００５３】
さらに肩掛け・収納・充電などの使用状態では、凸部Ａ６２を乗り越えて凸部Ｂによってカバー体２８をローラー２６またはキャスターローラー２２の接地面部を覆うように保持させて汚れたローラー２６やキャスターローラー２２が使用者５５の衣服や手などに触れるのを防止でき、清潔に使用できるものである。
【産業上の利用可能性】
【００５４】
以上のように、本発明にかかる走行装置および床移動型電気機器および電気掃除機は、カバー体によって汚れたローラー、キャスターローラー面を覆って清潔で使い勝手の向上するので、走行装置を有する電気機器全般に適用できる。
【図面の簡単な説明】
【００５５】
【図１】本発明の実施の形態１を示す走行装置の要部部分断面図
【図２】本発明の実施の形態２を示す電気掃除機の全体斜視図
【図３】同電気掃除機本体の側面図
【図４】同電気掃除機本体の部品斜視図
【図５】同電気掃除機本体の正面図
【図６】同電気掃除機本体の要部断面図
【図７】同集塵室の断面図
【図８】同電気掃除機本体と充電台の斜視図
【図９】同電気掃除機本体と充電台の側面図
【図１０】同電気掃除機本体の肩掛け使用状態図
【図１１】本発明の実施の形態３を示す電気掃除機本体の側面図
【図１２】本発明の実施の形態４を示す電気掃除機本体の側面図
【符号の説明】
【００５６】
２  回動軸
３  ローラー
４  カバー体
７  起毛布Ａ
２２  キャスターローラー
２３  キャスターローラー軸
２５  ローラー軸
２６  ローラー
２８  カバー体
３１  起毛布Ｂ
５４  床面
６０  排気口
６１  カバー体軸
【図１】
2005224416.tif 000003
【図２】
2005224416.tif 000004
【図３】
2005224416.tif 000005
【図４】
2005224416.tif 000006
【図５】
2005224416.tif 000007
【図６】
2005224416.tif 000008
【図７】
2005224416.tif 000009
【図８】
2005224416.tif 000010
【図９】
2005224416.tif 000011
【図１０】
2005224416.tif 000012
【図１１】
2005224416.tif 000013
【図１２】
2005224416.tif 000014